(57)【要約】【課題】物品情報と棚位置情報とを自動的に収集することができる設備コストの安価な物品管理システム、物品管理方法、物品管理装置、プログラムを提供する。【解決手段】棚位置情報を記憶するＲＦＩＤ３０２を有する棚位置用タグ１０３と、物品１０５に設け物品情報を記憶するＲＦＩＤ３０４を有する物品用タグ１０６と、棚位置用タグ１０３と物品用タグ１０６との記憶情報を読み出す情報読出制御部１０２と、情報読出制御部１０２で読み出した情報を受信する物品管理装置１０７とを設け、物品格納棚１０１に設けた可動部２０１に情報読出制御部１０２を設置する。【選択図】      図１
2006036428.tif 000002
【特許請求の範囲】
【請求項１】
物品と物品を格納する物品格納棚とを管理する物品管理システムであって、前記物品格納棚の棚段に設け棚位置情報を記憶する第１記憶部を有する棚位置用タグと、物品に設け物品情報を記憶する第２記憶部を有する物品用タグと、前記棚位置用タグと前記物品用タグとの記憶情報を読み出す情報読出制御部と、前記情報読出制御部で読み出した情報を受信する物品管理装置とを有し、前記物品格納棚は、前記情報読出制御部を設置する可動部を有することを特徴とする物品管理システム。
【請求項２】
前記可動部は、前記物品格納棚の支柱に設けたスライド溝に沿って移動することを特徴とする請求項１記載の物品管理システム。
【請求項３】
前記物品管理装置は、前記情報読出制御部から情報を受信する第１送受信部と、前記第１送受信部の受信情報を管理する管理部と、前記受信情報を格納する不揮発性記憶手段とを有し、前記不揮発性記憶手段は、前記棚位置情報を格納する棚位置情報データベースと、前記物品情報を格納する物品情報データベースとを有することを特徴とする請求項１記載の物品管理システム。
【請求項４】
前記不揮発性記憶手段は、磁気ディスク装置または光ディスク装置を有することを特徴とする請求項３記載の物品管理システム。
【請求項５】
前記情報読出制御部は、情報読出部と、前記情報読出部を制御する制御部と、前記情報読出部で読み出した情報を前記物品管理装置へ送信する第２送受信部とを有することを特徴とする請求項１記載の物品管理システム。
【請求項６】
前記第１記憶部と前記第２記憶部とは、共に、ＲＦＩＤを有することを特徴とする請求項１記載の物品管理システム。
【請求項７】
前記第１記憶部は、棚段を特定する棚段識別情報を記憶することを特徴とする請求項１または６記載の物品管理システム。
【請求項８】
前記第２記憶部は、物品を特定する物品識別情報を記憶することを特徴とする請求項１または６記載の物品管理システム。
【請求項９】
前記棚位置情報データベースは、棚段識別情報に対応して、前記物品格納棚の設置場所情報と、前記棚段に存在する物品数を示す格納個数情報と、前記棚段の空きに格納可能な物品数を示す空き個数情報とを有することを特徴とする請求項３記載の物品管理システム。
【請求項１０】
前記物品情報データベースは、物品識別情報に対応して、物品名情報と、製造年月日情報と、棚段識別情報と、棚格納日時情報と、搬出日時情報とを有することを特徴とする請求項３記載の物品管理システム。
【請求項１１】
前記情報読出制御部と前記物品管理装置とは、通信ネットワークで接続することを特徴とする請求項１記載の物品管理システム。
【請求項１２】
物品と物品を格納する物品格納棚とを管理する物品管理方法であって、前記物品格納棚の棚段に設ける第１記憶部を有する棚位置用タグに棚位置情報を記憶するステップと、物品に設け第２記憶部を有する物品用タグに物品情報を記憶するステップと、前記物品格納棚の可動部に設置した情報読出制御部を移動するステップと、前記棚位置用タグと前記物品用タグとの記憶情報を前記情報読出制御部により読み出すステップと、前記情報読出制御部で読み出した情報を通信ネットワークを介して物品管理装置により受信するステップとを有することを特徴とする物品管理方法。
【請求項１３】
前記物品管理装置は、前記情報読出制御部から第１送受信部により情報を受信するステップと、前記第１送受信部の受信情報を管理部により管理するステップと、前記受信情報を不揮発性記憶手段に格納するステップとを有し、前記不揮発性記憶手段は、前記棚位置情報を棚位置情報データベースに格納するステップと、前記物品情報を物品情報データベースに格納するステップとを有することを特徴とする請求項１２記載の物品管理方法。
【請求項１４】
情報読出制御部で読み出した情報を通信ネットワークを介して受信する物品管理装置であって、前記情報読出制御部の読み出した棚位置用タグと物品用タグとの記憶情報を受信する第１送受信部と、前記第１送受信部の受信情報を管理する管理部と、前記受信情報を格納する不揮発性記憶手段とを有し、前記不揮発性記憶手段は、前記棚位置情報を格納する棚位置情報データベースと、前記物品情報を格納する物品情報データベースとを有し、前記情報読出制御部は、物品格納棚に設けた可動部に設置することを特徴とする物品管理装置。
【請求項１５】
前記管理部は、前記棚位置情報を管理する棚位置管理手段と、前記物品情報を管理する物品管理手段とを有することを特徴とする請求項１４記載の物品管理装置。
【請求項１６】
前記棚位置用タグは、物品格納棚の棚段に設け、棚位置情報を記憶する第１記憶部を有し、前記物品用タグは、物品に設け、物品情報を記憶する第２記憶部を有することを特徴とする請求項１４記載の物品管理装置。
【請求項１７】
前記第１記憶部と前記第２記憶部とは、共に、ＲＦＩＤを有することを特徴とする請求項１６記載の物品管理装置。
【請求項１８】
前記棚位置情報データベースは、棚段識別情報に対応して、物品格納棚の設置場所情報と、棚段に存在する物品数を示す格納個数情報と、前記棚段の空きに格納可能な物品数を示す空き個数情報とを有することを特徴とする請求項１４記載の物品管理装置。
【請求項１９】
前記物品情報データベースは、物品識別情報に対応して、物品名情報と、製造年月日情報と、棚段識別情報と、棚格納日時情報と、搬出日時情報とを有することを特徴とする請求項１４記載の物品管理装置。
【請求項２０】
前記不揮発性記憶手段は、磁気ディスク装置または光ディスク装置を有することを特徴とする請求項１４記載の物品管理装置。
【請求項２１】
情報読出制御部で読み出した情報を通信ネットワークを介して受信する物品管理装置のプログラムであって、コンピュータを、前記情報読出制御部の読み出した棚位置用タグと物品用タグとの記憶情報を第１送受信部で受信する手段と、前記第１送受信部の受信情報を管理部で管理する手段と、前記管理部により前記受信情報を不揮発性記憶手段に格納する手段と、前記棚位置情報を棚位置情報データベースに格納する手段と、前記物品情報を物品情報データベースに格納する手段として機能させるためのプログラム。
【発明の詳細な説明】
【技術分野】
【０００１】
本発明は、物品管理システム、物品管理方法、物品管理装置、プログラムに関し、特に、複数ある棚のどの棚段に物品を格納したかという情報を、可動する情報読出制御部を用いて安価で自動的に収集することのできる物品管理システム、物品管理方法、物品管理装置、プログラムに関する。
【背景技術】
【０００２】
従来、複数の棚段を有する棚の１つの棚段に物品を格納する場合、どの棚段へ物品を格納したかの物品管理は、作業者が物品管理コンピュータを操作して、格納情報を手入力またはバーコードリーダで入力している。格納情報を手入力する場合、手入力する際の作業工数は膨大にかかり、バーコードリーダを用いた場合もバーコードの情報をひとつひとつ手作業で読み取るため作業工数がかかり、運用管理費が高コストとなってしまう。
【０００３】
近年、ＲＦＩＤ（Ｒａｄｉｏ  Ｆｒｅｑｕｅｎｃｙ  Ｉｄｅｎｔｉｆｉｃａｔｉｏｎ）を用いて、物品の棚への格納位置管理を行うことにより、管理業務の効率化を図る検討を盛んに行っている。ＲＦＩＤタグを用いることにより、リアルタイムで自動的に情報を読み取ることが可能となり、物品情報と棚位置情報とをリアルタイムで把握できるようになるメリットを利用する技術である。
【０００４】
そこで、ＲＦＩＤを用いて物品管理を行う技術として、以下に示すようなものがある（例えば、特許文献１、特許文献２参照。）。
【０００５】
特許文献１記載の技術は、ＩＣタグリーダは、ＩＣタグに対して読み出し信号を送信すると共に、ＩＣタグからの応答信号を受信する。一方、測位手段は、ＩＣタグリーダの位置を計測する。位置管理サーバは、応答信号の内容と自機に登録した内容とが一致するとき、測位手段より得る位置信号に基づいて、ＩＣタグを貼り付けた管理対象物品の位置を管理する。このようにして、管理対象物品の位置、数量を直ちに把握するものである。
【０００６】
特許文献２記載の技術は、商品を単位個数ずつ配置する配置場所の各々にタグリーダを設け、各配置場所に配置している商品に取り付けている非接触ＩＣタグに書き込んでいる識別情報を常時読み取る。このようにして、各商品を配置している配置場所をリアルタイムで把握するものである。
【０００７】
【特許文献１】特開２００２ー０４６８２１号公報
【特許文献２】特開２００４ー０２６４６５号公報
【発明の開示】
【発明が解決しようとする課題】
【０００８】
物品格納情報を手入力する場合、手入力する際の作業工数は膨大にかかり、バーコードリーダを用いた場合もバーコードの情報をひとつひとつ手作業で読み取るため作業工数がかかり、運用管理費が高コストになるという課題がある。。
【０００９】
上述の特許文献１記載の技術は、ＩＣタグリーダを店内に配設した天井レールに沿って移動できるようにするか、或いは、各商品に対応して配設し、ＩＣタグからの応答信号を受信し、ＩＣタグリーダの位置を計測するための測位手段を設けている。従って、天井レールの配設は、設置工事が大がかりとなり、ＩＣタグリーダを各商品に対応して配設すると多数のＩＣタグリーダを必要とし、且つ、測位手段を設置する必要があるため、設備コストが増大するという課題がある。
【００１０】
上述の特許文献２記載の技術は、商品を単位個数ずつ配置する配置場所の各々にタグリーダを設けるため、配置場所の数量分のタグリーダを必要とし、タグリーダのコストがかかるという課題がある。
【００１１】
本発明の目的は、上記課題を解決すべく、物品と物品格納棚の各棚段とにＲＦＩＤを付与し、物品格納棚に設けた可動部に情報読出制御部を設置し、情報読出制御部を移動させることで、物品情報と棚位置情報とを自動的に収集することができる設備コストの安価な物品管理システム、物品管理方法、物品管理装置、プログラムを提供することにある。
【課題を解決するための手段】
【００１２】
本発明の物品管理システムは、物品と物品を格納する物品格納棚とを管理する物品管理システムであって、物品格納棚の棚段に設け棚位置情報を記憶する第１記憶部を有する棚位置用タグと、物品に設け物品情報を記憶する第２記憶部を有する物品用タグと、棚位置用タグと物品用タグとの記憶情報を読み出す情報読出制御部と、情報読出制御部で読み出した情報を受信する物品管理装置とを有し、物品格納棚は、情報読出制御部を設置する可動部を有することを特徴とする。
【００１３】
可動部は、物品格納棚の支柱に設けたスライド溝に沿って移動することを特徴とする。
【００１４】
物品管理装置は、情報読出制御部から情報を受信する第１送受信部と、第１送受信部の受信情報を管理する管理部と、受信情報を格納する不揮発性記憶手段とを有し、不揮発性記憶手段は、棚位置情報を格納する棚位置情報データベースと、物品情報を格納する物品情報データベースとを有することを特徴とする。
【００１５】
不揮発性記憶手段は、磁気ディスク装置または光ディスク装置を有することを特徴とする。
【００１６】
情報読出制御部は、情報読出部と、情報読出部を制御する制御部と、情報読出部で読み出した情報を物品管理装置へ送信する第２送受信部とを有することを特徴とする。
【００１７】
第１記憶部と第２記憶部とは、共に、ＲＦＩＤを有することを特徴とする。
【００１８】
第１記憶部は、棚段を特定する棚段識別情報を記憶することを特徴とする。
【００１９】
第２記憶部は、物品を特定する物品識別情報を記憶することを特徴とする。
【００２０】
棚位置情報データベースは、棚段識別情報に対応して、物品格納棚の設置場所情報と、棚段に存在する物品数を示す格納個数情報と、棚段の空きに格納可能な物品数を示す空き個数情報とを有することを特徴とする。
【００２１】
物品情報データベースは、物品識別情報に対応して、物品名情報と、製造年月日情報と、棚段識別情報と、棚格納日時情報と、搬出日時情報とを有することを特徴とする。
【００２２】
情報読出制御部と物品管理装置とは、通信ネットワークで接続することを特徴とする。
【００２３】
本発明の物品管理方法は、物品と物品を格納する物品格納棚とを管理する物品管理方法であって、物品格納棚の棚段に設ける第１記憶部を有する棚位置用タグに棚位置情報を記憶するステップと、物品に設け第２記憶部を有する物品用タグに物品情報を記憶するステップと、物品格納棚の可動部に設置した情報読出制御部を移動するステップと、棚位置用タグと物品用タグとの記憶情報を情報読出制御部により読み出すステップと、情報読出制御部で読み出した情報を通信ネットワークを介して物品管理装置により受信するステップとを有することを特徴とする。
【００２４】
物品管理装置は、情報読出制御部から第１送受信部により情報を受信するステップと、第１送受信部の受信情報を管理部により管理するステップと、受信情報を不揮発性記憶手段に格納するステップとを有し、不揮発性記憶手段は、棚位置情報を棚位置情報データベースに格納するステップと、物品情報を物品情報データベースに格納するステップとを有することを特徴とする。
【００２５】
本発明の物品管理装置は、情報読出制御部で読み出した情報を通信ネットワークを介して受信する物品管理装置であって、情報読出制御部の読み出した棚位置用タグと物品用タグとの記憶情報を受信する第１送受信部と、第１送受信部の受信情報を管理する管理部と、受信情報を格納する不揮発性記憶手段とを有し、不揮発性記憶手段は、棚位置情報を格納する棚位置情報データベースと、物品情報を格納する物品情報データベースとを有し、情報読出制御部は、物品格納棚に設けた可動部に設置することを特徴とする。
【００２６】
管理部は、棚位置情報を管理する棚位置管理手段と、物品情報を管理する物品管理手段とを有することを特徴とする。
【００２７】
棚位置用タグは、物品格納棚の棚段に設け、棚位置情報を記憶する第１記憶部を有し、物品用タグは、物品に設け、物品情報を記憶する第２記憶部を有することを特徴とする。
【００２８】
第１記憶部と第２記憶部とは、共に、ＲＦＩＤを有することを特徴とする。
【００２９】
棚位置情報データベースは、棚段識別情報に対応して、物品格納棚の設置場所情報と、棚段に存在する物品数を示す格納個数情報と、棚段の空きに格納可能な物品数を示す空き個数情報とを有することを特徴とする。
【００３０】
物品情報データベースは、物品識別情報に対応して、物品名情報と、製造年月日情報と、棚段識別情報と、棚格納日時情報と、搬出日時情報とを有することを特徴とする。
【００３１】
不揮発性記憶手段は、磁気ディスク装置または光ディスク装置を有することを特徴とする。
【００３２】
本発明のプログラムは、情報読出制御部で読み出した情報を通信ネットワークを介して受信する物品管理装置のプログラムであって、コンピュータを、情報読出制御部の読み出した棚位置用タグと物品用タグとの記憶情報を第１送受信部で受信する手段と、第１送受信部の受信情報を管理部で管理する手段と、管理部により受信情報を不揮発性記憶手段に格納する手段と、棚位置情報を棚位置情報データベースに格納する手段と、物品情報を物品情報データベースに格納する手段として機能させることを特徴とする。
【発明の効果】
【００３３】
本発明の物品管理システム、物品管理方法、物品管理装置、プログラムによれば、格納する物品情報と物品の棚位置情報とを収集する際、物品と棚段とに各々付与した物品用タグと棚位置用タグとを、物品格納棚の可動部に設けた情報読出制御部を移動して自動的に読み出すことができ、安価な設備コストで物品管理を行うことができるという効果がある。
【発明を実施するための最良の形態】
【００３４】
次に、本発明を実施するための最良の形態について図面を参照して説明する。
【００３５】
図１は、本発明の物品管理システム１を示す概略構成図、図２は、図１中の可動部２０１と情報読出制御部１０２とを説明するための斜視図、図３は、図１中の物品管理装置１０７と情報読出制御部１０２との概略構成ブロック図である。
【００３６】
図１を参照すると、本発明の物品管理システム１は、物品格納棚１０１の棚段１０４に設け棚位置情報を記憶する棚位置用タグ１０３と、物品１０５に設け物品情報を記憶する物品用タグ１０６と、棚位置用タグ１０３と物品用タグ１０６との記憶情報を読み出す情報読出制御部１０２と、情報読出制御部１０２で読み出した情報を受信する物品管理装置１０７とで構成する。情報読出制御部１０２と物品管理装置１０７とは、通信ネットワーク１１０を介して接続する。
【００３７】
図２を参照すると、物品格納棚１０１は、支柱１１１にスライド溝２０２を設け、スライド溝２０２に沿って移動する可動部２０１を設ける。情報読出制御部１０２は、可動部２０１に取り付け固定して構成する。
【００３８】
なお、可動機構は、図２に示す構造に限定するものではなく、情報読出制御部１０２を支柱１１１に沿ってＺＺ方向に移動可能な構造であればよい。例えば、リニア軸受けの可動部に情報読出制御部１０２を取り付ける構造（図示省略）、或いは、タイミングベルトに情報読出制御部１０２を取り付け、タイミングベルトを回転させることで情報読出制御部１０２を上下方向（図２中のＺＺ方向）に移動させる構造（図示省略）とする。
【００３９】
図３を参照すると、物品管理装置１０７は、情報読出制御部１０２から情報を受信する第１送受信部５０４と、第１送受信部５０４で受信した受信情報を管理する管理部５０７と、受信情報を格納する磁気ディスク装置１２０とで構成する。磁気ディスク装置１２０は、棚位置情報を格納する棚位置情報データベース１０８と、物品情報を格納する物品情報データベース１０９とで構成する。磁気ディスク装置１２０の代わりに光ディスク装置を設ける構成としてもよい。なお、具体的には、物品管理装置１０７は、サーバコンピュータまたはパーソナルコンピュータで構成する。
【００４０】
情報読出制御部１０２は、情報読出部５０１と、情報読出部５０１を制御する制御部５０２と、情報読出部５０１で読み出した情報を物品管理装置１０７へ送信する第２送受信部５０３とで構成する。なお、情報読出制御部１０２は、具体的にはＲＦＩＤリーダ・ライタで構成する。
【００４１】
次に、物品用タグ１０６と棚位置用タグ１０３とについて、図面を参照して説明する。図４は、物品用タグ１０６を説明するための図、図５は、棚位置用タグ１０３を説明するための図である。
【００４２】
図４を参照すると、物品用タグ１０６は、物品名を表示する物品情報表示部３０３と、物品情報を記憶する記憶部を備えるＲＦＩＤ（Ｒａｄｉｏ  Ｆｒｅｑｕｅｎｃｙ  Ｉｄｅｎｔｉｆｉｃａｔｉｏｎ）３０４とで構成する。物品用タグ１０６は、物品１０５に取り付ける（貼り付ける、或いは、埋め込むなどして物品１０５に付与する）ことが可能な形態（例えば、ラベル）で構成する。
【００４３】
図５を参照すると、棚位置用タグ１０３は、棚ＩＤを表示する棚位置情報表示部３０１と、棚位置情報を記憶する記憶部を備えるＲＦＩＤ３０２とで構成する。棚位置用タグ１０３は、物品格納棚１０１の棚段１０４に付与することが可能な形態（例えば、ラベル）で構成する。なお、記憶部は、ＲＦＩＤ３０２、３０４に限らず、物品１０５に付与し、情報を記憶し、記憶情報を読み出すことのできる図示しないＩＣカードなどを採用してもよい。
【００４４】
図１を参照すると、１つの物品格納棚１０１は、３つの棚段１０４で構成しているが、棚段１０４の数は、限定するものではない。棚位置用タグ１０３は、各棚段１０４に対応して取り付け、予め棚段１０４の棚識別番号（棚ＩＤ：Ｉｄｅｎｔｉｆｉｃａｔｉｏｎ）に相当する情報をＲＦＩＤ３０２に記憶しておく。
【００４５】
棚ＩＤは、ある物品格納棚１０１における複数の棚段１０４のうち、棚段１０４の位置を識別する情報である。例えば、１つの物品格納棚１０１に対して、上から１番目の棚位置、２番目の棚位置といった棚位置を管理するため、物品格納棚１０１の識別番号と棚段１０４の位置情報とを組み合わせた番号とする。例えば、物品格納棚Ａの上から１段目の棚段を表示する場合、Ａ棚１段の番号と表示する。また棚ＩＤは、物品格納棚１０１の識別番号と棚段１０４との位置情報に加え、他の情報を含んでいてもよい。
【００４６】
棚位置情報は、物品管理装置１０７の棚位置情報データベース１０８で管理する。棚位置用タグ１０３には、予め棚ＩＤのみを記憶し、関連する棚位置情報（棚の設置位置）を照会する際は、棚ＩＤをキーにして、棚位置情報データベース１０８に問い合わせる。
【００４７】
情報読出制御部１０２は、棚位置用タグ１０３のＲＦＩＤ３０２から読み出した情報を、通信ネットワーク１１０を介して物品管理装置１０７へ送信する。
【００４８】
物品用タグ１０６は、物品１０５に付与し、予め物品情報をＲＦＩＤ３０４に記憶しておく。物品情報は、その物品を特定する情報である。具体的には、使用期限のあるため保管庫へ格納する際、先入れ先出しを行う必要がある薬品などの場合、薬品名、薬品のロット番号、原材料、製造年月日、使用期限などである。
【００４９】
さらに、物品情報に含まれる情報は、ＪＡＮ（Ｊａｐａｎｅｓｅ  Ａｒｔｉｃｌｅ  Ｎｕｍｂｅｒ）コード、ＥＡＮ（Ｅｕｒｏｐｅａｎ  Ａｒｔｉｃｌｅ  Ｎｕｍｂｅｒ）コード、ＵＰＣ（Ｕｎｉｖｅｒｓａｌ  Ｐｒｏｄｕｃｔ  Ｃｏｄｅ）などのバーコードに含まれる情報であってもよいし、その他の情報を含んでいてもよい。
【００５０】
物品情報は、物品管理装置１０７の物品情報データベース１０９で管理する。物品用タグ１０６には、予め物品を特定する物品識別ＩＤのみを記憶し、関連する物品情報を照会する際は、物品識別ＩＤをキーにして、物品情報データベース１０９に問い合わせる。
【００５１】
情報読出制御部１０２は、物品用タグ１０６のＲＦＩＤ３０４から読み出した情報を、通信ネットワーク１１０を介して物品管理装置１０７へ送信する。
【００５２】
物品１０５を物品格納棚１０１の任意の棚段１０４へ格納する際、可動部２０１に搭載した情報読出制御部１０２の位置をＺＺ方向にスライドさせる。作業者は、格納予定の棚段１０４付近に移動させる。具体的には、棚位置用タグ１０３の情報を情報読出制御部１０２が読み取れる範囲にスライド移動させる。情報読出制御部１０２により棚位置用タグ１０３のＲＦＩＤ３０２から情報を読出し、格納する棚段１０４の位置情報を読み出すとともに、情報読出制御部１０２により物品用タグ１０６のＲＦＩＤ３０４から情報を読出す。格納する棚位置情報と物品情報とを読み出すことにより、どの棚段１０４へどの物品１０５を格納したかという情報を管理する。
【００５３】
図３を参照すると、情報読出制御部１０２の制御部５０２の制御により、情報読出部５０１は、格納予定の棚段１０４に設置した棚位置用タグ１０３から棚位置情報を読み出す。第２送受信部５０３は、読み出した棚位置情報を物品管理装置１０７の第１送受信部５０４へ送信する。管理部５０７の棚位置管理手段５０６は、第１送受信部５０４で受信した棚位置情報を棚位置情報データベース１０８内の該当する棚位置情報に登録し、物品格納実績の履歴管理を行う。また、情報読出制御部１０２の制御部５０２の制御により、情報読出部５０１は、物品用タグ１０６から物品情報を読み出す。第２送受信部５０３は、読み出した物品情報を物品管理装置１０７の第１送受信部５０４へ送信する。管理部５０７の物品管理手段５０５は、第１送受信部５０４で受信した物品情報を物品情報データベース１０９内の該当する物品情報に登録し、物品格納実績の履歴管理を行う。
【００５４】
ここで、棚位置情報データベース１０８と物品情報データベース１０９について、各々図６、図７を参照して説明する。
【００５５】
図６を参照すると、棚位置情報データベース１０８は、棚段識別情報である棚ＩＤに対応付けて、物品格納棚１０１の設置場所と、棚位置情報と物品情報との両方を読み取った際に物品１０５の格納数をカウントし棚段１０４に存在する物品１０５の総数を示す格納個数と、棚段１０４に格納可能な物品１０５数を示す空き個数とを登録する。
【００５６】
図７を参照すると、物品情報データベース１０９は、物品識別ＩＤに対応付けて、物品名、製造年月日、棚ＩＤ、棚格納日時、搬出日時とを登録する。なお、棚位置情報データベース１０８と、物品情報データベース１０９とは、棚ＩＤをキーとして、両者のデータベースの登録項目を紐付けている。
【００５７】
次に、上述のように構成した物品管理システム１の動作について、図面を参照して説明する。
【００５８】
図８は、物品管理システム１の動作を示すフローチャートである。
【００５９】
図８を参照すると、物品格納棚１０１を設置している倉庫にて、物品用タグ１０６と、棚位置用タグ１０３とを発行する（ステップＳ１）。
【００６０】
物品用タグは、物品１０５に取り付ける（貼り付ける）。棚位置用タグは、物品格納棚１０１の各棚段１０４に取り付ける。
【００６１】
例えば、物品名ＡＡＡの物品１０５を物品格納棚１０１の棚ＩＤがＡ棚の１段目に格納すると想定する。作業者は、棚位置情報表示部３０１に棚ＩＤ：Ａ棚１段と表示している棚位置用タグ１０３（図５参照）を貼り付けている場所まで、情報読出制御部１０２を支柱１１１に沿ってスライド移動させ、棚位置用タグ１０３のＲＦＩＤ３０２から情報を読み出す（ステップＳ２）。
【００６２】
作業者が物品名ＡＡＡの物品１０５をＡ棚１段に格納する際、物品１０５を格納する前に、情報読出制御部１０２は、物品用タグ１０６のＲＦＩＤ３０４に記憶している物品識別ＩＤであるＡＡＡＩＤを読み出す。情報読出制御部１０２は、読み出した情報を物品管理装置１０７へ送信する（ステップＳ３）。
【００６３】
従って、作業者は、情報読出制御部１０２を移動させるオペレーションのみで情報の収集を行うことができ、作業負荷も小さく、自然なワークフローでの作業となる。
【００６４】
物品管理装置１０７は、情報読出制御部１０２から受信した情報を物品情報データベース１０９の物品識別ＩＤがＡＡＡＩＤに対応して格納日時などの各項目のデータを登録する（ステップＳ４）。同時に、棚位置情報データベース１０８の棚ＩＤのＡ棚１段に対応して物品１０５の格納個数、空き個数を更新して登録する（ステップＳ５）。
【００６５】
格納した物品名ＡＡＡの物品１０５を物品格納棚１０１のＡ棚１段から搬出する場合、作業者は、物品名ＡＡＡの物品１０５を搬出する前に、情報読出制御部１０２により、物品用タグ１０６のＲＦＩＤ３０４に記憶している物品識別ＩＤであるＡＡＡＩＤを読み出す。情報読出制御部１０２は、読み出した情報を物品管理装置１０７へ送信する（ステップＳ６）。
【００６６】
物品管理装置１０７は、情報読出制御部１０２から受信した情報を物品情報データベース１０９の物品識別ＩＤであるＡＡＡＩＤに対応して搬送日時などの各項目のデータを登録する（ステップＳ７）。同時に、物品情報データベース１０９の物品識別ＩＤであるＡＡＡＩＤに対応して物品の格納個数、空き個数を更新して登録する（ステップＳ８）。
【００６７】
なお、上述の実施の形態において、情報読出制御部１０２に更にデータ入出力部（図示せず）を設けることにより、作業者は、物品管理装置１０７の棚位置情報データベース１０８へアクセスし、棚位置情報の検索要求を行い、検索結果を情報読出制御部１０２で受信しデータ入出力部に表示することができる。従って、作業者は、作業結果を目視により確認を行うことができる。
【図面の簡単な説明】
【００６８】
【図１】本発明の物品管理システムを示す概略構成図である。
【図２】図１中の可動部と情報読出制御部とを説明するための斜視図である。
【図３】図１中の物品管理装置と情報読出制御部との概略構成ブロック図である。
【図４】物品用タグを説明するための図である。
【図５】棚位置用タグを説明するための図である。
【図６】棚位置情報データベースを説明するための図である。
【図７】物品情報データベースを説明するための図である。
【図８】本発明の物品管理システムの動作を示すフローチャートである。
【符号の説明】
【００６９】
１    物品管理システム
１０１    物品格納棚
１０２    情報読出制御部
１０３    棚位置用タグ
１０４    棚段
１０５    物品
１０６    物品用タグ
１０７    物品管理装置
１０８    位置情報データベース
１０９    物品情報データベース
１１０    通信ネットワーク
１１１    支柱
１２０    磁気ディスク装置
２０１    可動部
２０２    スライド溝
３０１    棚位置情報表示部
３０３    物品情報表示部
３０２、３０４    ＲＦＩＤ
５０１    情報読出部
５０２    制御部
５０３    第２送受信部
５０４    第１送受信部
５０５    物品管理手段
５０６    棚位置管理手段
５０７    管理部
【図１】
2006036428.tif 000003
【図２】
2006036428.tif 000004
【図３】
2006036428.tif 000005
【図４】
2006036428.tif 000006
【図５】
2006036428.tif 000007
【図６】
2006036428.tif 000008
【図７】
2006036428.tif 000009
【図８】
2006036428.tif 000010